(57)【要約】【課題】  フィルタの脱着に応じてバイパス流路が転換され、持続的な水の供給が可能な浄水装置を提供することである。【解決手段】  入水部と出水部が相互対向するように一直線に形成されるヘッドと、前記ヘッドの内側に備えられ、前記入水部と出水部との間に回転可能に装着されるシャフトと、前記シャフトの周りを貫通して形成され、貫通した流路上に流路突出部を有し、前記シャフトの回転によって前記入水部および出水部を連通させるバイパス流路と、前記ヘッドに脱着し、前記ヘッドに装着した時前記シャフトが挿入されるフィルタ挿入部が形成されるフィルタと、前記バイパス流路と交差する方向への前記シャフトの周りに入口と出口が形成され、前記シャフトの回転によって前記フィルタと前記入水部および出水部を相互連通させるフィルタリング流路とを備えた浄水装置により達成される。【選択図】図１
2018114503.tif 000002
【特許請求の範囲】
【請求項１】
浄水装置であって、
入水部及び出水部が形成されたヘッドと、
前記ヘッドの内側に備えられ、前記入水部と出水部との間に回転可能に装着されたシャフトと、
前記シャフトの周りを貫通して形成され、前記シャフトの回転によって前記入水部及び前記出水部を連通させるバイパス流路と、
前記バイパス流路と交差する方向に前記シャフトの内部に形成されたフィルタリング流路と、
前記シャフトの下部方向に延長形成され、終端にパイプ切開部が形成されたインナーパイプと、
前記ヘッドに脱着し、前記ヘッドに装着した時、前記シャフトが挿入されるフィルタ挿入部が形成されたフィルタと、
前記フィルタ挿入部の内側で前記シャフトの方向で延長されたサポーター延長部に形成され、前記パイプ切開部と結合して前記フィルタの回転結合時、前記シャフトを回転させる第１連結部とを備えてなる、浄水装置。
【請求項２】
前記シャフトは、前記フィルタリング流路を形成するために、前記バイパス流路の底から上方に突出する流路突出部を備えてなる、請求項１に記載の浄水装置。
【請求項３】
前記フィルタリング流路の入口及び出口と、前記バイパス流路の入口及び出口は、同一高さで前記シャフトの周りに沿って９０度の角度で配置されてなる、請求項１又は２に記載の浄水装置。
【請求項４】
前記インナーパイプは、前記フィルタリング流路を形成する、請求項１〜３の何れか一項に記載の浄水装置。
【請求項５】
前記シャフトは、上部パート及び下部パートを備えてなり、
前記インナーパイプは、前記下部パートの内側に形成されると共に、前記下部パートの内周面と離隔される、請求項１〜４の何れか一項に記載の浄水装置。
【請求項６】
前記フィルタは、上部開放部を備えたハウジングボディと、
前記ハウジングボディに収容されるフィルタリング部材と、
前記ハウジングボディの上部開放部に結合され、前記フィルタ挿入部が備えられたハウジングキャップと、
前記フィルタリング部材の上部面と前記ハウジングキャップの内面にそれぞれ結合された上部サポーターとを備えてなる、請求項１〜５の何れか一項に記載の浄水装置。
【請求項７】
前記サポーター延長部は、前記上部サポーターに備えられる、請求項６に記載の浄水装置。
【請求項８】
前記フィルタ挿入部の内周面の一側には、ハウジング締結部が形成され、
前記上部サポーターは、前記ハウジング締結部と結合されるサポーター締結部を備えてなる、請求項６又は７に記載の浄水装置。
【請求項９】
前記フィルタが前記ヘッドに結合される過程で、前記シャフトは前記ハウジングボディに挿入され、前記サポーター延長部は前記シャフトに挿入されて前記インナーパイプと連結される、請求項６〜８の何れか一項に記載の浄水装置。
【請求項１０】
前記インナーパイプは、一対の第２連結部を備えてなり、
前記一対の第２連結部の間にパイプ切開部が配置され、
前記第１連結部には、第１傾斜面が形成され、
前記第２連結部のそれぞれには、前記第１傾斜面と接触する第２傾斜面が形成された、請求項１〜９の何れか一項に記載の浄水装置。
【請求項１１】
入水部及び出水部が形成されたヘッドと、
前記ヘッドの内側に備えられ、前記入水部及び前記出水部との間に回転可能に装着されたシャフトと、
前記シャフトの周りを貫通して形成され、前記シャフトの回転によって前記入水部及び前記出水部を連通させるバイパス流路と、
前記バイパス流路と分離するように前記シャフトの内部に形成されたフィルタリング流路と、
前記シャフトの下部方向に延長形成され、終端にパイプ切開部が形成され、前記フィルタリング流路と連結されたインナーパイプと、
前記ヘッドに脱着し、前記ヘッドに装着した時、前記シャフトに挿入されるフィルタ挿入部が形成されたフィルタと、
前記フィルタの内部で結合して、前記インナーパイプと連結される第１フィルタ入力流路を構成したサポーター延長部と、
前記サポーター延長部の上部に形成され、前記パイプ切開部と結合して前記フィルタの回転結合時、前記シャフトを回転させる第１連結部とを備えてなる、浄水装置。
【請求項１２】
前記シャフトは、上部パート及び下部パートを備えてなり、
前記インナーパイプは、前記下部パートの内側に形成され、かつ、前記下部パートの内周面と離隔されてなる、請求項１１に記載の浄水装置。
【請求項１３】
前記フィルタは、
上部開放部を備えたハウジングボディと、
前記ハウジングボディに収容されるフィルタリング部材と、
前記ハウジングボディの上部開放部に結合され、前記フィルタ挿入部が備えられたハウジングキャップと、
前記フィルタリング部材の上部面と前記ハウジングキャップの内面にそれぞれ結合される上部サポーターとを備えてなる、請求項１１又は１２に記載の浄水装置。
【請求項１４】
前記サポーター延長部は、前記上部サポーターに備えられてなる、請求項１３に記載の浄水装置。
【請求項１５】
前記第１フィルタ入力流路は、前記サポーター延長部の中央から下方に延長される、請求項１１〜１４の何れか一項に記載の浄水装置。
【請求項１６】
前記サポーター延長部には、前記第１フィルタ入力流路の下端から側傍に延長される第２フィルタ入力流路が備えられてなる、請求項１１〜１５の何れか一項に記載の浄水装置。
【請求項１７】
前記サポーター延長部は、前記第１フィルタ入力流路の外側に配置されたフィルタ出力流路をさらに備えてなる、請求項１１〜１６の何れか一項に記載の浄水装置。
【請求項１８】
前記サポーター延長部の周りには、前記フィルタ出力流路に沿って流動した水を排出するための出口溝が備えられてなる、請求項１７に記載の浄水装置。
【請求項１９】
前記フィルタリング流路は、シャフト入水流路を備えてなり、
前記シャフト入水流路は、前記シャフトの入口から前記シャフトの中央に延長される水平部と、前記水平部の端部から下方に延長される垂直部とを備えてなる、請求項１１〜１８の何れか一項に記載の浄水装置。
【請求項２０】
前記垂直部は、前記インナーパイプによって形成されたものである、請求項１９に記載の浄水装置。
【請求項２１】
前記フィルタリング流路は、シャフト出水流路をさらに備えてなり、
前記シャフト出水流路は、前記下部パートの外側面に形成される出水ガイド部と、前記上部パートの下面を貫通して前記出水ガイド部に連結される出水連結部とを備えてなる、請求項１２〜２０の何れか一項に記載の浄水装置。
【請求項２２】
前記フィルタ挿入部の内周面の一側には、ハウジング締結部が形成され、
前記上部サポーターは、前記ハウジング締結部と結合されるサポーター締結部を備えてなる、請求項１３〜２１の何れか一項に記載の浄水装置。
【請求項２３】
前記フィルタが前記ヘッドに結合される過程で、前記シャフトは前記ハウジングボディに挿入され、前記サポーター延長部は前記シャフトに挿入されて前記インナーパイプと連結される、請求項１３〜２２の何れか一項に記載の浄水装置。
【請求項２４】
フィルタ構造であって、
第１収容空間が形成されるように円筒状に製作され、上部開放部を有するハウジングボディと、
第２収容空間を形成されるように一部が円筒状に製作され、前記ハウジングボディの上部開放部に結合され、外周面に結合突起と上部開放部が形成され、内周面の一側に形成されたハウジング締結部を有するハウジングキャップと、
前記第１収容空間に収容された円筒状のフィルタリング部材と、
前記第２収容空間に収容され、前記フィルタリング部材の上部面と前記ハウジングキャップの内面にそれぞれ結合される上部サポーターとを備えてなるものであり、
前記上部サポーターは、
前記フィルタリング部材の上部面に結合されるサポーター収容部と、
前記サポーター収容部の上部に一体形成され、前記フィルタリング部材の外周面とハウジングボディとの間の空間に水が給水されるように、外周面に第２フィルタ入力流路が形成されたサポーター段差部と、
前記サポーター段差部から上向きに延長され、中央部に第２フィルタ入力流路と連通する第１フィルタ入力流路が形成され、第１フィルタ入力流路の上部に一対の突出部が延長形成され、前記第１フィルタ入力流路の外側にフィルタ出力流路が形成されたサポーター延長部と、
前記ハウジング締結部に結合され、前記ハウジングキャップの内部での回転流動を防止するサポーター締結部とを備えてなるものである、フィルタ構造。
【請求項２５】
前記サポーター延長部は、前記サポーター段差部の中央から上方に延長される第１延長部と、前記第１延長部の上方にさらに延長され、前記第１延長部より小さい断面積を有するように形成される第２延長部とを備えてなるものであり、
前記フィルタ出力流路は、前記フィルタリング部材の内部から前記第１延長部の上端まで延長形成されたものである、請求項２４に記載のフィルタ構造。
【請求項２６】
前記第１延長部に第１延長部Ｏ（オー）リングが備えられ、
前記第２延長部に第２延長部Ｏ（オー）リングが備えられてなる、請求項２５に記載のフィルタ構造。
【発明の詳細な説明】
【技術分野】
【０００１】
本発明は、浄水装置に関するものである。
【背景技術】
【０００２】
一般的に、浄水装置は、供給される水をフィルタまたは濾過材などを利用して浄化するためのものとして、水道またはタンクの水を浄化して飲用可能な状態に浄化する装置を含む。
【０００３】
このような飲用可能な水を供給する浄水装置は、浄水器が代表的であり、最近では冷蔵庫にもこのような浄水装置の全体または一部が備えられ、冷蔵庫を介して浄水された水が供給されたり、これを利用して氷を作ることもできる。
【０００４】
浄水装置が備えられた冷蔵庫では、必要に応じて浄水装置を構成するフィルタの交替または点検が必要であり、このためにフィルタが脱着可能に構成される。そして、浄水装置は、フィルタを分離した状態でも水の供給が可能なバイパス流路を有するように構成され、フィルタの交替または点検中にも使用者が水を取出すことができる。
【０００５】
大韓民国公開特許第１０‐２０１５‐０１３５０２１号（公開日２０１５年１２月０２日）には、バイパス構造を有する浄水フィルタ用ヘッドが開示されている。
ところが、従来のヘッドは、フィルタの脱着時、弾性部材によって支持される流路転換プランジャによって流路が開閉される複雑な構造を有することから、生産性および組立性が落ちる問題がある。
【０００６】
また、スライディング移動する流路転換プランジャの構造の特性上、流路のバイパス経路が複雑であるので、水の流動性能が低下する問題がある。また、弾性部材の性能低下または異常時に流路の切替ができない問題が発生する可能性がある。
【先行技術文献】
【特許文献】
【０００７】
【特許文献１】大韓民国公開特許第１０‐２０１５‐０１３５０２１号
【発明の概要】
【０００８】
本発明の目的は、フィルタの脱着に応じてバイパス流路が転換され、持続的な水の供給が可能な浄水装置を提供することにある。
【０００９】
また、本発明の目的は、簡潔なバイパス流路転換構造を有するようにして、生産性と組立性が向上する浄水装置を提供することにある。
【００１０】
また、本発明の目的は、フィルタの回転装着によってバイパス流路が切替えられる浄水装置を提供することにある。
【００１１】
また、本発明の目的は、フィルタの脱着が容易な浄水装置を提供することにある。
【００１２】
また、本発明の目的は、フィルタ脱着によるバイパス流路転換時、水の流動が円滑に行われる浄水装置を提供することにある。
【００１３】
また、本発明の目的は、フィルタ脱着によるバイパス流路転換時、水の流動が円滑に行
われる浄水装置を提供することにある。
〔本発明の好ましい態様〕
〔１〕  入水部と出水部が相互対向するように一直線に形成されるヘッドと、
前記ヘッドの入水部と出水部を取囲むように回転支持部が形成されたマウンティング部材と、
前記マウンティング部材に連結された入水管および出水管と、
前記ヘッドの内側に備えられ、前記入水部と出水部との間に回転可能に装着されるシャフトと、
前記シャフトの周りを貫通して形成され、貫通した流路上に流路突出部を有し、前記シャフトの回転によって前記入水部および出水部を連通させるバイパス流路と、
前記ヘッドに脱着し、前記ヘッドに装着した時前記シャフトが挿入されるフィルタ挿入部が形成されるフィルタと、
前記バイパス流路と交差する方向への前記シャフトの周りに入口と出口が形成され、前記シャフトの回転によって前記フィルタと前記入水部および出水部を相互連通させるフィルタリング流路とを備えてなる、浄水装置。
〔２〕  前記流路突出部は、前記バイパス流路の底から上方に突出するものである、上記〔１〕に記載の浄水装置。
〔３〕  前記流路突出部の両端は、傾斜またはラウンド状に形成されたものである、上記〔１〕又は〔２〕に記載の浄水装置。
〔４〕  前記ヘッドは、開口された上面を有するヘッドボディを備えてなり、
前記シャフトが、前記開口された上面を介して前記ヘッドボディに収容されてなり、
前記開口された上面が、ヘッドキャップによってカバーされたものである、上記〔１〕〜〔３〕の何れか一項に記載の浄水装置。
〔５〕  前記ヘッドボディの内周面には、前記シャフトの一部が貫通した状態で前記シャフトが安着するボディ安着部が備えられてなる、上記〔４〕に記載の浄水装置。
〔６〕  前記安着部には、前記シャフトの回転突起が収容されて前記シャフトの回転を案内できる（ように所定の）角度で切開される回転ガイドが備えられてなる、上記〔５〕に記載の浄水装置。
〔７〕  前記シャフトは、前記フィルタリング流路と連通し、前記フィルタ挿入部と連結されるインナーパイプを備えてなる、上記〔１〕〜〔６〕の何れか一項に記載の浄水装置。
〔８〕  前記流路突出部は、前記フィルタリング流路を形成する、上記〔１〕〜〔７〕の何れか一項に記載の浄水装置。
〔９〕  前記フィルタリング流路の入口および出口と、前記バイパス流路の入口および出口は、前記シャフトの周りに沿って９０度の角度で配置されてなる、上記〔１〕〜〔８〕の何れか一項に記載の浄水装置。
〔１０〕  入水部および出水部が形成されたヘッドと、
前記ヘッドの内側に備えられ、前記入水部と出水部との間に回転可能に装着されたシャフトと、
前記シャフトの周りを貫通して形成され、前記シャフトの回転によって前記入水部および前記出水部を連通させるバイパス流路と、
前記バイパス流路と交差する方向に前記シャフトの内部に形成されたフィルタリング流路と、
前記シャフトの下部方向に延長形成され、終端にパイプ切開部が形成されたインナーパイプと、
前記ヘッドに脱着し、前記ヘッドに装着した時、前記シャフトが挿入されるフィルタ挿入部が形成されたフィルタと、
前記フィルタ挿入部の内側で前記シャフトの方向で延長されたサポーター延長部に形成され、前記パイプ切開部と結合して前記フィルタの回転結合時、前記シャフトを回転させる第１連結部とを備えてなる、浄水装置。
〔１１〕  前記シャフトは、前記フィルタリング流路を形成するために、前記バイパス流路の底から上方に突出する流路突出部を備えてなる、上記〔１０〕に記載の浄水装置。
〔１２〕  前記フィルタリング流路の入口および出口と、前記バイパス流路の入口および出口は、同一高さで前記シャフトの周りに沿って９０度の角度で配置されてなる、上記〔１０〕又は〔１１〕に記載の浄水装置。
〔１３〕  前記インナーパイプは、前記フィルタリング流路を形成する、上記〔１０〕〜〔１２〕の何れか一項に記載の浄水装置。
〔１４〕  前記シャフトは、上部パートおよび下部パートを備えてなり、
前記インナーパイプは、前記下部パートの内側に形成されると共に、前記下部パートの内周面と離隔される、上記〔１０〕〜〔１３〕の何れか一項に記載の浄水装置。
〔１５〕  前記フィルタは、上部開放部を備えたハウジングボディと、
前記ハウジングボディに収容されるフィルタリング部材と、
前記ハウジングボディの上部開放部に結合され、前記フィルタ挿入部が備えられたハウジングキャップと、
前記フィルタリング部材の上部面と前記ハウジングキャップの内面にそれぞれ結合された上部サポーターとを備えてなる、上記〔１０〕〜〔１４〕の何れか一項に記載の浄水装置。
〔１６〕  前記サポーター延長部は、前記上部サポーターに備えられる、上記〔１５〕に記載の浄水装置。
〔１７〕  前記フィルタ挿入部の内周面の一側には、ハウジング締結部が形成され、
前記上部サポーターは、前記ハウジング締結部と結合されるサポーター締結部を備えてなる、上記〔１５〕又は〔１６〕に記載の浄水装置。
〔１８〕  前記フィルタが前記ヘッドに結合される過程で、前記シャフトは前記ハウジングボディに挿入され、前記サポーター延長部は前記シャフトに挿入されて前記インナーパイプと連結される、上記〔１５〕〜〔１７〕の何れか一項に記載の浄水装置。
〔１９〕  前記インナーパイプは、一対の第２連結部を備えてなり、
前記一対の第２連結部の間にパイプ切開部が配置され、
前記第１連結部には、第１傾斜面が形成され、
前記第２連結部のそれぞれには、前記第１傾斜面と接触する第２傾斜面が形成された、上記〔１０〕〜〔１８〕の何れか一項に記載の浄水装置。
〔２０〕  入水部および出水部が形成されたヘッドと、
前記ヘッドの内側に備えられ、前記入水部および前記出水部との間に回転可能に装着されたシャフトと、
前記シャフトの周りを貫通して形成され、前記シャフトの回転によって前記入水部および前記出水部を連通させるバイパス流路と、
前記バイパス流路と分離するように前記シャフトの内部に形成されたフィルタリング流路と、
前記シャフトの下部方向に延長形成され、終端にパイプ切開部が形成され、前記フィルタリング流路と連結されたインナーパイプと、
前記ヘッドに脱着し、前記ヘッドに装着した時、前記シャフトに挿入されるフィルタ挿入部が形成されたフィルタと、
前記フィルタの内部で結合して、前記インナーパイプと連結される第１フィルタ入力流路を構成したサポーター延長部と、
前記サポーター延長部の上部に形成され、前記パイプ切開部と結合して前記フィルタの回転結合時、前記シャフトを回転させる第１連結部とを備えてなる、浄水装置。
〔２１〕  前記シャフトは、上部パートおよび下部パートを備えてなり、
前記インナーパイプは、前記下部パートの内側に形成され、かつ、前記下部パートの内周面と離隔されてなる、上記〔２０〕に記載の浄水装置。
〔２２〕  前記フィルタは、
上部開放部を備えたハウジングボディと、
前記ハウジングボディに収容されるフィルタリング部材と、
前記ハウジングボディの上部開放部に結合され、前記フィルタ挿入部が備えられたハウジングキャップと、
前記フィルタリング部材の上部面と前記ハウジングキャップの内面にそれぞれ結合される上部サポーターとを含む、上記〔２０〕又は〔２１〕に記載の浄水装置。
〔２３〕  前記サポーター延長部は、前記上部サポーターに備えられてなる、上記〔２２〕に記載の浄水装置。
〔２４〕  前記第１フィルタ入力流路は、前記サポーター延長部の中央から下方に延長される、上記〔２０〕〜〔２３〕の何れか一項に記載の浄水装置。
〔２５〕  前記サポーター延長部には、前記第１フィルタ入力流路の下端から側傍に延長される第２フィルタ入力流路が備えられてなる、上記〔２０〕〜〔２４〕の何れか一項に記載の浄水装置。
〔２６〕  前記サポーター延長部は、前記第１フィルタ入力流路の外側に配置されたフィルタ出力流路をさらに備えてなる、上記〔２０〕〜〔２５〕の何れか一項に記載の浄水装置。
〔２７〕  前記サポーター延長部の周りには、前記フィルタ出力流路に沿って流動した水を排出するための出口溝が備えられてなる、上記〔２６〕に記載の浄水装置。
〔２８〕  前記フィルタリング流路は、シャフト入水流路を備えてなり、
前記シャフト入水流路は、前記シャフトの入口から前記シャフトの中央に延長される水平部と、前記水平部の端部から下方に延長される垂直部とを備えてなる、上記〔２０〕〜〔２７〕の何れか一項に記載の浄水装置。
〔２９〕  前記垂直部は、前記インナーパイプによって形成されたものである、上記〔２８〕に記載の浄水装置。
〔３０〕  前記フィルタリング流路は、シャフト出水流路をさらに備えてなり、
前記シャフト出水流路は、前記下部パートの外側面に形成される出水ガイド部と、前記上部パートの下面を貫通して前記出水ガイド部に連結される出水連結部とを備えてなる、上記〔２１〕〜〔２９〕の何れか一項に記載の浄水装置。
〔３１〕  前記フィルタ挿入部の内周面の一側には、ハウジング締結部が形成され、
前記上部サポーターは、前記ハウジング締結部と結合されるサポーター締結部を備えてなる、上記〔２２〕〜〔３０〕の何れか一項に記載の浄水装置。
〔３２〕  前記フィルタが前記ヘッドに結合される過程で、前記シャフトは前記ハウジングボディに挿入され、前記サポーター延長部は前記シャフトに挿入されて前記インナーパイプと連結される、上記〔２２〕〜〔３１〕の何れか一項に記載の浄水装置。
〔３３〕  フィルタ構造であって、
第１収容空間が形成されるように円筒状に製作され、上部開放部を有するハウジングボディと、
第２収容空間を形成されるように一部が円筒状に製作され、前記ハウジングボディの上部開放部に結合され、外周面に結合突起と上部開放部が形成され、内周面の一側に形成されたハウジング締結部を有するハウジングキャップと、
前記第１収容空間に収容された円筒状のフィルタリング部材と、
前記第２収容空間に収容され、前記フィルタリング部材の上部面と前記ハウジングキャップの内面にそれぞれ結合される上部サポーターとを備えてなるものであり、
前記上部サポーターは、
前記フィルタリング部材の上部面に結合されるサポーター収容部と、
前記サポーター収容部の上部に一体形成され、前記フィルタリング部材の外周面とハウジングボディとの間の空間に水が給水されるように、外周面に第２フィルタ入力流路が形成されたサポーター段差部と、
前記サポーター段差部から上向きに延長され、中央部に第２フィルタ入力流路と連通する第１フィルタ入力流路が形成され、第１フィルタ入力流路の上部に一対の突出部が延長形成され、前記第１フィルタ入力流路の外側にフィルタ出力流路が形成されたサポーター
延長部と、
前記ハウジング締結部に結合され、前記ハウジングキャップの内部での回転流動を防止するサポーター締結部とを備えてなるものである、フィルタ構造。
〔３４〕  前記サポーター延長部は、前記サポーター段差部の中央から上方に延長される第１延長部と、前記第１延長部の上方にさらに延長され、前記第１延長部より小さい断面積を有するように形成される第２延長部とを備えてなるものであり、
前記フィルタ出力流路は、前記フィルタリング部材の内部から前記第１延長部の上端まで延長形成されたものである、上記〔３３〕に記載のフィルタ構造。
〔３５〕  前記第１延長部に第１延長部Ｏ（オー）リングが備えられ、
前記第２延長部に第２延長部Ｏ（オー）リングが備えられてなる、上記〔３４〕に記載のフィルタ構造。
【図面の簡単な説明】
【００１４】
【図１】本発明の実施例に係る冷蔵庫の正面図である。
【図２】前記冷蔵庫のドアが開放された正面図である。
【図３】前記冷蔵庫の給水流路の配置構造を概略的に示した図である。
【図４】前記浄水装置の構造を示した斜視図である。
【図５】本発明の別の実施例に係る浄水装置の構造を示した斜視図である。
【図６】前記浄水装置のフィルタとヘッドが分離された分解斜視図である。
【図７】前記フィルタの構造を示した分解図である。
【図８】図７の縦断面図である。
【図９】図７の９‐９'線断面図である。
【図１０】図６の１０‐１０'線断面図である。
【図１１】前記フィルタの上部サポーターの部分切開斜視図である。
【図１２】前記ヘッドの側面図である。
【図１３】前記ヘッドの結合構造を一側から見た分解斜視図である。
【図１４】前記ヘッドの結合構造を他側から見た分解斜視図である。
【図１５】前記ヘッドの内部構造を一側から見た切開分解斜視図である。
【図１６】前記ヘッドの内部構造を他側から見た切開分解斜視図である。
【図１７】前記ヘッドを下方から見た斜視図である。
【図１８】前記ヘッドの一部切り欠き斜視図である。
【図１９】前記フィルタとヘッドが分離された状態の一部切り欠き斜視図である。
【図２０】図１９のＡ部拡大図である。
【図２１】前記フィルタとヘッドが分離された状態のシャフトの位置を示した図である。
【図２２】前記フィルタが前記ヘッドの内側に挿入される状態を示した図である。
【図２３】前記フィルタが前記ヘッドの内側に完全に挿入された状態を示した図である。
【図２４】前記フィルタが前記ヘッドの内側に完全に挿入された状態で、結合のために回転した状態を示した図である。
【図２５】図２４のＢ部拡大図である。
【図２６】前記フィルタが前記ヘッドに結合された状態のシャフトの位置を示した図である。
【発明を実施するための形態】
【００１５】
以下、本発明の具体的な実施例を図面を参照して詳しく説明するようにする。なお、本発明は、本発明の思想が提示される実施例に制限されるものではなく、他の構成要素の追加、変更、削除などによって、退歩的な別の発明や本発明の思想範囲内に含まれる別の実施例を容易に提案することができる。
【００１６】
図１は本発明の実施例に係る冷蔵庫の正面図であり、図２は前記冷蔵庫のドアが開放された正面図である。
【００１７】
図１および図２に示すように、本発明の実施例に係る浄水装置を備えた冷蔵庫１は、貯蔵空間を形成するキャビネット１０と、前記キャビネット１０の貯蔵空間を開閉するドア２０によって外形が形成される。
【００１８】
前記キャビネット１０は、外側面を形成する金属素材のアウトケース１１と、前記アウトケース１１と結合され、前記冷蔵庫１の内部の貯蔵空間を形成する樹脂材のインナーケース１２を含むことができる。そして、前記アウトケース１１とインナーケース１２の間には、断熱材が充填されて庫内の空間を断熱することができる。
【００１９】
前記貯蔵空間は、バリア１３を基準に上下に区画され、上部の冷蔵室１４と下部の冷凍室１５から構成される。そして、前記冷凍室１５は、左右側にさらに区画されるように構成されてもよい。または、前記貯蔵空間は、バリア１３を基準に左右に区画されてもよい。
【００２０】
前記ドア２０は、前記冷蔵室１４と冷凍室１５をそれぞれ独立的に開閉する冷蔵室ドア２１と冷凍室ドア２２を含むことができる。
【００２１】
前記冷蔵室ドア２１と冷凍室ドア２２は、両方とも回動によって前記冷蔵室１４と冷凍室１５を開閉できる構造を有する。このために前記冷蔵室ドア２１と冷凍室ドア２２は、両方ともヒンジ装置２３によって前記キャビネット１０に回動可能に連結される。そして、前記冷蔵室ドア２１は、左右両側で一対が独立的に回転するように構成されるフレンチドアからなることもできる。
【００２２】
一対の前記冷蔵室ドア２１のいずれか一側のドアには、ディスペンサー２３とアイスメーカー２４が備えられる。
【００２３】
前記ディスペンサー２３は、前記冷蔵室ドア２１の前面に備えられ、外部から使用者が操作して水または氷を取出せるようにする。そして、前記ディスペンサー２３の上方には製氷室２５が備えられる。前記製氷室２５は、氷が作られて保管される断熱空間として、内部に前記アイスメーカー２４が収容され、別途のドアによって開閉される。そして、図示されていないが、前記製氷室２５は、前記冷蔵室ドア２１が閉じられた状態で冷気ダクトによって前記冷凍室１５と連通し、製氷に必要な冷気が冷凍室蒸発器(図示されない)から供給される。
【００２４】
一方、前記冷蔵室１４の内部には、食品を収納するための多数の棚と引き出しが備えられる。特に、前記冷蔵室１４の底面には、引出・引入可能に提供される引き出し１６１と前記引き出し１６１の上面を遮蔽するテーブル１６２とを含む引き出しアセンブリ１６が備えられる。
【００２５】
前記引き出しアセンブリ１６は、内部を透視できるように構成され、前記引き出し１６１によって前記冷蔵室１４の後側に備えられたメインウォータータンク３４が遮蔽されるように構成される。そして、前記引き出しアセンブリ１６の側傍には、給水される水を浄化して前記ディスペンサー２３と前記アイスメーカー２４に供給する浄水装置１７が備えられる。前記浄水装置１７は、前記引き出し１６１の収納空間と壁面の間に配置され、前記引き出し１６１の前面によって遮蔽される。従って、前記引き出し１６１が閉じられた状態では、前記浄水装置１７は外部に露出することなく、前記引き出し１６１が引き出された状態では、外部に露出して前記浄水装置１７への接近が可能となる。もちろん、前記
浄水装置１７の装着位置は、引き出し１６１の一側に限定されるものではなく、前記冷蔵室１４または前記冷蔵室ドア２１を含む前記冷蔵室１４の領域に備えられてもよい。
【００２６】
前記引き出しアセンブリ１６の上方には、カンチレバー構造を有する多数の棚が、高さ調節可能な形態で脱着可能に提供される。そして、前記冷蔵室１４の後面にはメインダクト１８が備えられ、前記メインダクト１８に形成される多数の吐出口を介して、蒸発器(
図示されない)にて生成された冷気が前記冷蔵室１４の内部に供給されるようにする。
【００２７】
図３は、冷蔵庫の給水流路の配置を概略的に示した図である。
【００２８】
図３に示すように、前記冷蔵庫１は、外部の給水源から供給される水を浄水または冷却した後、前記ディスペンサー２３から取出したり、浄水された水を前記ディスペンサー２３またはアイスメーカー２４に供給する給水流路３０を含むことができる。
【００２９】
前記給水流路３０は、庫外側の水道のような給水源２に直結され、前記キャビネット１０の内部に装着されるチューブガイド１９を介して庫内の空間に流入し、庫内側の浄水装置１７の入口と連結される。
【００３０】
そして、前記給水流路３０には、給水バルブ３１と流量センサー３２が備えられる。必要に応じて前記流量センサー３２は、前記給水バルブ３１と一体で構成されてもよい。
【００３１】
前記給水流路３０は、前記浄水装置１７と第１分岐管３３を連結し、第１分岐管３３から分岐された給水流路３０は、それぞれ前記メインウォータータンク３４と第１分岐バルブ３５に連結される。
【００３２】
前記第１分岐バルブ３５の出口と連結される給水流路３０は、前記チューブガイド１９を介して前記キャビネット１０の内側の側壁またはキャビネット外側の後壁面に沿って延長された後上面に沿って延長され、前記ドアヒンジ２６を経て前記冷蔵室ドア２１に引入される。
【００３３】
そして、前記冷蔵室ドア２１の給水流路は、第２分岐管３６によって分岐され、前記サブウォータータンク３７の入口および第２分岐バルブ３８と連結される。前記サブウォータータンク３７は、前記ディスペンサー２３と連結され、冷却された水が前記ディスペンサー２３を介して取出されるようにする。
【００３４】
そして、前記第２分岐バルブ３８の出口は、それぞれディスペンサー２３およびアイスメーカー２４と前記給水流路３０によって連結され、前記ディスペンサー２３とアイスメーカー２４に浄水を供給することができる。
【００３５】
このように前記浄水装置１７を経て浄水された水は、冷却されて前記ディスペンサー２３に供給され、或いは冷却されずに浄水された状態で前記ディスペンサー２３またはアイスメーカー２４に供給される。
【００３６】
そして、前記浄水装置１７は、全体的に給水される水を浄化するための複数のフィルタ４０と、複数のフィルタ４０のそれぞれが結合され、水が流動する流路と連結されるヘッドユニット５０を含むことができる。そして、前記浄水装置１７は、前記フィルタ４０およびヘッドユニット５０が収容されるケース１７１をさらに含むことができる。
【００３７】
図４は、前記浄水装置の構造を示した斜視図である。
【００３８】
図４に示すように、前記浄水装置１７は、複数のフィルタ４０とヘッドユニット５０を含むことができる。
【００３９】
前記複数のフィルタ４０は、制限的ではないが、前記ヘッドユニット５０の入水側と連結される第１フィルタ４０１と、前記ヘッドユニット５０の出水側と連結される第３フィルタ４０３と、前記第１フィルタ４０１と第３フィルタ４０３の間に配置される第２フィルタ４０２の組合せて水を浄化することができる。
【００４０】
前記第１フィルタ４０１はプレカーボンフィルタからなることができ、第２フィルタ４０２はメンブレンフィルタからなることができ、第３フィルタ４０３はポストカーボンフィルタからなることができる。もちろん、本発明で前記フィルタ４０の個数と種類には制限されないが、前記浄水装置１７の内部に収納可能な個数そして効率的な浄水のために異なる種類の機能性フィルタを適用することができる。
【００４１】
前記ヘッドユニット５０は、前記それぞれのフィルタ４０が結合される多数のヘッド６０と、前記ヘッド６０が回転可能に安着するマウンティング部材７０を含むことができる。
【００４２】
前記マウンティング部材７０の一端には原水が入水する入水管３０１が連結され、他端には浄水された水が出水する出水管３０２が連結される。
【００４３】
前記マウンティング部材７０に前記多数のヘッド６０が装着された状態で、前記多数のヘッド６０は独立的に回転することができる。前記多数のヘッド６０は、連結管７１によって流路が相互連結され、前記入水管３０１を介して入水する原水は、それぞれのフィルタをすべて経験した後浄水されて前記出水管３０２から出水される。
【００４４】
そして、前記連結管７１は、前記マウンティング部材７０に装着され、隣接する両ヘッド６０の間に備えられて、前記ヘッド６０の間の水の流動を可能とする。そして、前記連結管７１と対応する前記マウンティング部材７０の一側には、カバー７２が装着されて前記連結管７１を遮蔽することができる。
【００４５】
前記ヘッド６０は、前記フィルタ４０の上端が挿入されて固定されるヘッドボディ６１と、前記ヘッドボディ６１の内部で前記フィルタ４０の上端と連結されて水が流動する流路を形成するシャフト(図６で９０)を含むことができる。前記ヘッド５０は、前記シャフト９０が挿入されるヘッドボディ６１の上面を遮蔽するヘッドキャップ６２をさらに含むことができる。
【００４６】
前記フィルタ４０は、前記ヘッド６０に回転方式で固定装着され、前記フィルタ４０の装着過程で前記シャフト９０が前記フィルタ４０と連結されて流路を形成し、前記フィルタ４０の回転時に前記シャフト９０が一緒に回転して前記シャフト９０の流路が転換される。
【００４７】
すなわち、前記シャフト９０によって前記フィルタ４０が装着された状態では、前記フィルタ４０側に流路が転換され、前記フィルタ４０を経て水が浄化されることになる。そして、前記フィルタ４０が分離された状態では、供給される水が前記フィルタ４０を経ることなくバイパスされて前記ヘッド６０を通過するように流路が転換される。流路の転換および詳細な構造については、後術される別の実施例で詳述するようにする。
【００４８】
前記ケース１７１は、前記フィルタ４０と前記ヘッドユニット５０を収容できる多様な構造に形成することができる。前記ケース１７１は、前記フィルタ４０とヘッドユニット
５０を完全に収容することができる。または、前記ケース１７１は、前記フィルタ４０とヘッドユニット５０の少なくとも一部を収容することができる。
【００４９】
そして、前記ケース１７１は、前記冷蔵室１４の内部の一側で固定装着できる構造を有することができる。もちろん、必要に応じて前記ケース１７１を省略し、前記マウンティング部材７０が直接前記冷蔵室１４の内部一側に装着されるように構成することもできる。
【００５０】
一方、前記フィルタ４０は、前記浄水装置１７の機能に応じて、１つだけ備えられてもよく、前記フィルタ４０が１つから構成される場合には、前記ヘッドユニット５０も、１つのヘッド６０とマウンティング部材７０からなることができる。前記ヘッド６０の構造は、単数または複数に関係なく同じ構造を有することができ、以下では、前記フィルタ４０とヘッド６０が単数で構成される浄水装置に関して説明することにする。
【００５１】
図５は本発明の別の実施例に係る浄水装置の構造を示した斜視図であり、図６は前記浄水装置のフィルタとヘッドが分離された分解斜視図である。
【００５２】
図５および図６に示すように、本発明の別の実施例に係る浄水装置１７は、フィルタ４０とヘッド６０を含むことができる。前記浄水装置１７は、ヘッド６０が装着されるマウンティング部材７０をさらに含むことができる。
【００５３】
前記フィルタ４０は円筒状に形成され、ハウジング４１によって外形が形成される。前記ハウジング４１は、内部にフィルタリング部材(図７で４４)を収容するハウジングボディ４２と、前記ハウジングボディ４２の上端に結合され、前記ハウジング４１の上部を形成するハウジングキャップ４３を含むことができる。
【００５４】
前記ハウジングボディ４２は、フィルタリング部材４４を収容するための第１収容空間が形成されるように円筒状に製作することができる。前記ハウジングボディ４２は、上部開放部を有することができる。
【００５５】
前記ハウジングキャップ４３は、前記ハウジングボディ４２の上部開放部に結合される。前記ハウジングキャップ４３は、フィルタリング部材４４の一部を収容するための第２収容空間を形成することができる。このために前記ハウジングキャップ４２の一部は円筒状に形成することができる。そして、前記ハウジングキャップ４３は、上部開放部を有する。前記ハウジングキャップ４３の上部開放部を介して、後述するシャフト９０の一部が引入される。
【００５６】
前記ハウジングキャップ４３は、前記ヘッド６０の開口された下面に挿入される。そして、前記ハウジングキャップ４３の上端には一対のＯリング〔Ｏ（オー）型又は環状のリング〕４３２が備えられ、前記Ｏリング４３２は、前記ヘッド６０の内側面と密着して漏水を防止することができる。
【００５７】
そして、前記ハウジングキャップ４３の上部外周面には結合突起４３３がさらに備えられる。前記結合突起４３３は、前記フィルタ４０の上部が前記ヘッド６０の内側に挿入される時、前記ヘッド６０の内側面に形成された結合溝６３１に沿って移動することができる。
【００５８】
このとき、前記結合突起４３３と結合溝６３１は、前記フィルタ４０が挿入される方向と交差する方向に形成される。従って、前記フィルタ４０は、前記ヘッド６０の内側に挿入された状態で回転し、前記フィルタ４０の回転によって前記結合突起４３３と結合溝６
３１が相互結合される構造を有することができる。そして、前記フィルタ４０と前記ヘッド６０が完全に相互結合された状態では、内部の前記フィルタ４０と前記ヘッド６０の流路が連結され、供給される水が前記フィルタ４０の内部に流入することができる。
【００５９】
前記マウンティング部材７０は、前記ケース１７１または冷蔵庫１の庫内の一側壁面に装着されるベース７３と、前記ベース７３の両側に突出して前記ヘッド６０の両側を回転可能に支持する回転支持部７４を含むことができる。
【００６０】
前記回転支持部７４には、入水管３０１と出水管３０２の端部が配置され、前記回転支持部７４で前記入水管３０１と出水管３０２は、前記ヘッド６０の入水部６１１と出水部６１２に連結される。
【００６１】
前記ヘッド６０は、前記回転支持部７４によって前記マウンティング部材７０に回転可能な状態に装着される。従って、前記フィルタ４０の脱着時に、前記ヘッド６０を回転またはティルティング操作して、前記フィルタ４０の脱着のための空間を確保することができ、前記フィルタ４０の脱着作業をより容易にすることができる。
【００６２】
前記ヘッド６０は、下面が開口された円筒状に形成され、前記フィルタ４０が挿入固定されるヘッドボディ６１と、前記ヘッドボディ６１の内側に収容されるシャフト９０を含むことができる。また、前記ヘッド６０は、前記ヘッドボディ６１の開口された上面を遮蔽するヘッドキャップ６２をさらに含むことができる。
【００６３】
前記ヘッドボディ６１の外側面には、前記結合突起４３３の挿入位置を表示する挿入表示部６１３が形成される。前記挿入表示部６１３は、印刷、成形または加工によって形成され、前記挿入表示部６１３によって、使用者は前記結合溝６３１の位置を認知することができ、前記結合突起４３３との整列を容易にすることができる。
【００６４】
また、前記ヘッドボディ６１の外側面には、前記フィルタ４０の回転方向を表示する回転表示部６１４が形成される。前記回転表示部６１４も、印刷、成形または加工によって形成され、前記回転表示部６１４によって、使用者が前記フィルタ４０を正しい方向に回転操作することで、前記結合突起４３３が前記結合溝６３１の内側に沿って移動して結合される。
【００６５】
前記ヘッドボディ６１の外側面には、前記結合突起４３３の係止状態を確認できる開口部６３２がさらに形成される。前記開口部６３２は、前記結合溝６３１の位置と対応する位置、または、前記結合溝６３１の少なくとも一部を含むように形成される。
【００６６】
図７は前記フィルタの構造を示した分解図であり、図８は図７の縦断面図であり、図９は図７の９‐９'線断面図であり、図１０は図６の１０‐１０'線断面図である。
【００６７】
図面を参照して前記フィルタ４０の構造をより詳しく説明すると、前記フィルタ４０は、外形を形成する前記フィルタハウジング４１と、前記フィルタハウジング４１の内部に備えられるフィルタリング部材４４と、前記フィルタリング部材４４を支持する上部サポーター８０を含むことができる。
【００６８】
また、前記フィルタ４０は、前記フィルタハウジング４１内で前記フィルタリング部材４４を支持する下部サポーター４５をさらに含むことができる。
【００６９】
前記フィルタハウジング４１は円筒状に形成され、前記ハウジングボディ４２とハウジングキャップ４３が結合されで形成される。そして、前記ハウジングキャップ４３の上端
にはフィルタ挿入部４３１が形成され、前記フィルタ挿入部４３１には複数のＯリング４３２が上下連続配置される。
【００７０】
そして、前記フィルタ挿入部４３１の外側で、前記Ｏリング４３２の下方には前記結合突起４３３が形成される。前記結合突起４３３は相互対向する位置に一対が形成され、前記結合溝６３１に挿入可能な大きさに形成される。
【００７１】
前記結合突起４３３には突起ガイド部４３３ａが形成される。前記突起ガイド部４３３ａは、前記結合突起４３３の上面に傾斜または所定の曲率を有するように形成される。そして、前記結合突起４３３は、前記結合溝６３１の入口に前記結合突起４３３を案内する溝ガイド部(図１５の６３３参照)と接して、前記結合突起４３３の一方向の回転移動を案内する。
【００７２】
前記結合突起４３３の下面一側には下方に突出した係止突起４３３ｂがさらに形成され、前記係止突起４３３ｂは、前記結合溝６３１の内側で係止される。従って、前記結合突起４３３が前記結合溝６３１の内側に完全に挿入された状態で、前記フィルタ４０が前記ヘッド６０の内側に固定される。
【００７３】
一方、前記フィルタ挿入部４３１の内部は中空形態に形成され、前記フィルタ挿入部４３１の内側面には、前記上部サポーター８０と結合されるためのハウジング締結部４３４が突出形成される。すなわち、前記上部サポーター８０は、前記ハウジングキャップ４３が形成する第２収容空間に収容される。前記上部サポーター８０は、前記フィルタリング部材４４の上部面と前記ハウジングキャップ４３の内面にそれぞれ結合される。
【００７４】
前記ハウジング締結部４３４の上面４３４ａは、傾斜するように形成される。一例として、一対のハウジング締結部４３４は相互対向する位置に形成されると共に、傾斜した方向が相互対向するように形成される。
【００７５】
そして、前記ハウジング締結部４３４と対応する前記上部サポーター８０には、サポーター締結部８１が形成される。一例として、前記サポーター締結部８１は、前記第２延長部８７に形成される。前記サポーター締結部８１の一端にはフック部８１１が形成される。
【００７６】
前記上部サポーター８０の上端が前記フィルタ挿入部４３１の内側に挿入された状態で一方向に回転する場合、前記サポーター締結部８１のフック部８１１が前記ハウジング締結部４３４の上面の傾斜面に沿って移動することになる。そして、前記上部サポーター８０が完全に回転した状態では、前記サポーター締結部８１のフック部８１１が前記ハウジング締結部４３４の端部に係止され、前記上部サポーター８０が前記ハウジングキャップ４３に結合される。
【００７７】
前記サポーター締結部８１とハウジング締結部４３４は、相互嵌合される多様な構造を有することができ、前記サポーター締結部８１とハウジング締結部４３４の結合によって、前記フィルタハウジング４１と前記フィルタハウジング４１の内部の上部サポーター８０は一体となる。従って、前記フィルタ４０の装着時に前記フィルタ４０が回転操作されると、前記上部サポーター８０も一緒に回転する。
【００７８】
一方、前記フィルタハウジング４１の内部には、前記フィルタリング部材４４が収容される。前記フィルタリング部材４４は、流入する水が通過しながら浄化されるようにする。例えば、前記フィルタリング部材４４は、通常的に用いられるカーボンフィルタまたはメンブレンフィルタからなることができ、他にも要求される浄化性能に応じて多様な形態
のフィルタを用いることができる。
【００７９】
前記フィルタリング部材４４は、中央に上下方向に中空４４１が形成された円筒状に形成され、前記フィルタリング部材４４の上端と下端には上部サポーター８０と下部サポーター４５が結合され、前記フィルタリング部材４４が前記フィルタハウジング４１の内側に固定装着される。
【００８０】
そして、前記フィルタリング部材４４の外径は、前記フィルタハウジング４１の内径より小さく形成され、前記フィルタハウジング４１と前記フィルタリング部材４４の外側面の間に水が流動する空間が形成される。
【００８１】
前記上部サポーター８０は、前記フィルタリング部材４４の上端に配置され、上方に延長されて前記フィルタ挿入部４３１の入口と前記中空４４１を連結する通路を形成することができる。従って、前記フィルタ挿入部４３１を介して前記ヘッド６０から供給される水が前記フィルタリング部材４４に流入、前記フィルタリング部材４４にて浄化された水が前記ヘッド６０に流出することができる。
【００８２】
前記上部サポーター８０は、前記フィルタリング部材４４の上端を収容するサポーター収容部８２を含むことができる。
【００８３】
前記上部サポーター８０は、前記サポーター収容部８２の中央部から下方に延長され、前記フィルタリング部材４４の中空４４１に挿入されるサポーター挿入部８３をさらに含むことができる。
【００８４】
前記上部サポーター８０は、前記サポーター挿入部８３の上面から上方に段差状に突出するサポーター段差部８４をさらに含むことができる。
【００８５】
前記上部サポーター８０は、前記サポーター段差部８４の上面中央から前記フィルタ挿入部４３１の内側に向かって延長されるサポーター延長部８５をさらに含むことができる。
【００８６】
図１１は、前記フィルタの上部サポーターの部分切開斜視図である。
【００８７】
図８〜図１１を参照して、前記上部サポーター８０に対してより詳しく説明するようにする。
【００８８】
前記上部サポーター８０と前記フィルタリング部材４４の結合時に前記サポーター収容部８２は、前記フィルタリング部材４４の上面と周りを取囲むことができる。そして、前記サポーター挿入部８３は、前記中空４４１に挿入されて前記フィルタリング部材４４の内側面と接し、前記フィルタリング部材４４の上面に前記上部サポーター８０が固定装着されるようにする。
【００８９】
前記サポーター挿入部８３は、内部が中空形態に形成され、前記サポーター延長部８５に形成されるフィルタ出力流路８６１と連通する。従って、前記フィルタリング部材４４の中空４４１に流動した浄水された水は、前記サポーター挿入部８３と前記フィルタ出力流路８６１および前記フィルタ出力流路８６１端部のフィルタ出口８６２を順に通り、前記フィルタ挿入部４３１の開口を介して排出される。
【００９０】
前記サポーター段差部８４は、前記サポーター収容部８２の上面から突出し、前記サポーター収容部８２より小さい直径を有するように形成される。そして、前記ハウジングキ
ャップ４３と前記上部サポーター８０の結合時、前記サポーター収容部８４およびサポーター段差部８４の周りは前記ハウジングキャップ４３の内側面と離隔する。
【００９１】
前記サポーター段差部８４の中央から上方に前記サポーター延長部８５が延長される。前記サポーター延長部８５は、前記ハウジングキャップ４３と前記上部サポーター８０の結合時、前記フィルタ挿入部４３１の内側に位置される。そして、前記サポーター延長部８５の内部には、フィルタ入力流路８７１とフィルタ出力流路８６１が形成される。従って、前記フィルタ４０の内部への水の供給およびフィルタ４０にて浄水された水の排出が前記サポーター延長部８５を介してなされる。
【００９２】
具体的に、前記サポーター延長部８５の開口された上面には、下方に延長される第１フィルタ入力流路８７２が形成される。そして、前記サポーター段差部８４には、サポーター段差部８４を横断して貫通する第２フィルタ入力流路８７３が形成される。
【００９３】
前記第２フィルタ入力流路８７３は、サポーター段差部８４の周面に開口が形成され、前記サポーター段差部８４の中央に向かって延長される。前記第１フィルタ入力流路８７２と第２フィルタ入力流路８７３は、前記サポーター延長部８５の下端、すなわちサポーター段差部８４の内側で相互連結される。
【００９４】
従って、前記フィルタ挿入部４３１を介して流入する水は、前記サポーター延長部８５の第１フィルタ入力流路８７２を介して流入した後、前記第１フィルタ入力流路８７２の下端で両側に分岐された前記第２フィルタ入力流路８７３に沿って外側に移動し、前記サポーター段差部８４の周りの開口を介して排出される。
【００９５】
前記フィルタ入力流路８７１を介して排出される水は、前記フィルタハウジング４１と前記フィルタリング部材４４の間の空間に沿って流動する。そして、前記フィルタリング部材４４の外側に流入した水は、前記フィルタリング部材４４を通過して前記中空４４１に流入する過程で浄水される。
【００９６】
一方、前記サポーター延長部８５は、前記サポーター段差部８４の上面から延長される第１延長部８６と、前記第１延長部８６から上方に延長される第２延長部８７を含むことができる。前記第１延長部８６は、前記第２延長部８７の外径より大きい外径を有するように形成され、前記第１延長部８６の上側部には前記フィルタ出口８６２が形成される。
【００９７】
前記フィルタ出口８６２の上方の前記第２延長部８７の外側面には、内側に陥没するガイド面８７４が形成される。前記ガイド面８７４は傾斜するように形成され、前記フィルタ出口８６２から上方に離隔形成される。従って、前記フィルタ出口８６２に吐出浄水された水が上方に流動する時、前記ガイド面８７４によって前記第２延長部８７の外側に案内され、水がより効果的に流動するようにする。
【００９８】
前記ガイド面８７４の下端で前記第２延長部８７の一部が前記第１延長部８６の内側に延長される。このとき、前記第１延長部８６の内側面と前記第２延長部８７の外側面の間の空間に前記フィルタ出力流路８６１が定義される。そして、前記第１フィルタ入力流路８７２は、前記第２延長部８７の開口された上面から下端まで延長される。
【００９９】
一方、前記第１延長部８６の外径は、前記フィルタ挿入部４３１の内径より多少小さく形成され、前記フィルタ出口８６２を介して吐出される浄水された水は、前記第１延長部８６と前記フィルタ挿入部４３１の間の空間を介して排出される。
【０１００】
そして、前記フィルタ出口８６２の上方の前記ガイド面８７４の下端には出口溝８７５
が形成される。前記出口溝８７５は、前記第２延長部８７の周りに沿って陥没形成される。従って、両側に配置される前記フィルタ出口８６２から吐出される水は、前記出口溝８７５に沿って流動し、前記シャフト９０の外側面に形成される出水ガイド部９６５ｂに沿って排出される。
【０１０１】
前記第２延長部８７の外径は、前記フィルタ挿入部４３１の内側に位置される前記シャフト９０の内径と対応するように形成される。従って、前記第２延長部８７と前記シャフト９０が相互連通するように結合される場合、前記シャフト９０の内側を介して供給される水が前記第２延長部８７の内側に流入することができる。
【０１０２】
前記第１延長部８６の外側には第１延長部Ｏリング８６３が備えられ、前記第２延長部８７の外側には第２延長部Ｏリング８７６が備えられる。前記第１延長部Ｏリング８６３によって、前記フィルタ挿入部４３１の内側と前記第１延長部８６の間が気密となる。そして、前記第２延長部Ｏリング８７６は、前記シャフト９０の内側面と密着して、前記第２延長部８７と前記シャフト９０の間が気密となる。
【０１０３】
従って、前記サポーター延長部８５の内側に流入する浄水するための水と、前記サポーター延長部８５の外側に吐出される浄水された水が漏洩または混合されることなく、独立的な流路を介して流動することができる。
【０１０４】
一方、前記サポーター延長部８５の上端には、第１連結部８５１が形成される。前記第１連結部８５１は、前記サポーター延長部８５の上端から内側に向かって陥没するように形成され、左右両側に対称するように形成される。前記第１連結部８５１は、後述されるシャフト９０の第２連結部９７２が挿入される場合、相互噛合って結合するように対応する形状に形成される。そして、前記第１連結部８５１と第２連結部９７２が相互結合された状態では、前記シャフト９０と前記フィルタ４０は一緒に回転する。
【０１０５】
前記第１連結部８５１は、所定の深させ陥没すると共に、前記サポーター延長部８５の内側面の対向する位置で突出する突出部８５２を基準に相互対称するように形成される。そして、前記第１連結部８５１の両側端、すなわち前記突出部８５２の両側面には第１傾斜面８５３が形成される。前記第１傾斜面８５３は、下方から上方に行くほど前記第１連結部８５１の幅が広くなり、前記突出部８５２の幅は狭くなる形状に形成される。すなわち、前記第１連結部８５１は、陥没する深さ方向に行くほどその幅が狭くなるように形成される。
【０１０６】
また、前記第１傾斜面８５３は、前記第１傾斜面８５３の上下長さ方向と交差する方向、すなわち前記フィルタ４０の回転方向にも傾斜するように形成される。従って、前記突出部８５２は、前記サポーター延長部８５の内側面で前記サポーター延長部８５の内径の中心方向に行くほどその幅が広くなるように形成される。
【０１０７】
このような構造によって、前記第１連結部８５１と第２連結部９７２の嵌合が容易となる。また、前記第１連結部８５１と第２連結部９７２が相互接する状態でねじりモーメントが加えられると、前記第１連結部８５１と第２連結部９７２がスライディングして前記フィルタ４０が前記シャフト９０から容易に分離される。
【０１０８】
図１２は前記ヘッドの側面図であり、図１３は前記ヘッドの結合構造を一側から見た分解斜視図であり、図１４は前記ヘッドの結合構造を他側から見た分解斜視図である。
【０１０９】
図面を参照して前記ヘッド６０の構造をより詳しく説明すると、前記ヘッドボディ６１の開口された上面を介して前記シャフト９０が挿入され、前記ヘッドキャップ６２が前記
ヘッドボディ６１の開口された上面を遮蔽することができる。
【０１１０】
前記ヘッドボディ６１は、下側ボディ６３と上側ボディ６４を含むことができる。
【０１１１】
前記下側ボディ６３は、前記フィルタ挿入部４３１が挿入および結合される部分として、前記フィルタ４０が収容されるように下面が開口される。そして、前記下側ボディ６３には、前記結合突起４３３が挿入されるための前記結合溝６３１が形成される。
【０１１２】
前記下側ボディ６３には、前記結合溝６３１を成形するための開口部６３２が形成され、前記開口部６３２を介して前記結合突起４３３の挿入状態を確認することができる。前記下側ボディ６３の内側面の周りには、前記フィルタ挿入部４３１が挿入された状態で前記フィルタ４０の垂れを防止するために、前記フィルタ挿入部４３１の外側を支持するための多数の支持リブ６３４が形成される。
【０１１３】
前記上側ボディ６４は、前記下側ボディ６３の上端に形成され、前記下側ボディ６３より小さい直径を有するように形成される。前記上側ボディ６４の内側には前記シャフト９０が装着され、前記シャフト９０は前記上側ボディ６４の開口された上面を介して挿入され、前記上側ボディ６４の内側に装着される。
【０１１４】
そして、前記上側ボディ６４の内側には、前記フィルタ挿入部４３１の上端と前記サポーター延長部８５の上端及び前記シャフト９０の下端が配置され、これらの構成の結合によって前記フィルタ４０を通過して浄水された水が流動できる流路が形成される。
【０１１５】
前記上側ボディ６４には、入水部６１１と出水部６１２が外側に突出形成される。そして、前記入水部６１１と出水部６１２は、それぞれ前記入水管３０１および出水管３０２と連通する。このとき、前記入水部６１１と出水部６１２は、前記シャフト９０に形成される流路と選択的に連通する。前記入水部６１１と出水部６１２は、ヘッドにおいて相互対向するように一直線に配置される。
【０１１６】
前記ヘッドキャップ６２は、前記上側ボディ６４の上面を遮蔽することができる。前記ヘッドキャップ６２は、前記シャフト９０の上面を押して、前記シャフト９０が前記上側ボディ６４の内側に固定装着された状態を維持できるようにする。このために、前記ヘッドキャップ６２の下面には、前記シャフト９０の上面まで延長されるキャップ支持部６２１がさらに形成される。
【０１１７】
前記シャフト９０は、前記ヘッド６０の内側で流動する水の流路を選択的に転換できるようにし、前記上側ボディ６４に回転可能に安着される。そして、前記シャフト９０には、フィルタリング流路９６とバイパス流路９５が形成され、前記シャフト９０の回転によってこれらの流路は前記入水部６１１および出水部６１２に選択的に連結される。
【０１１８】
前記シャフト９０は、上部パート９１と下部パート９２を含むことができる。そして、前記上部パート９１は、前記下部パート９２より直径が大きく形成され、前記上側ボディ６４の内径と対応する外径を有するように形成される。
【０１１９】
前記上部パート９１の上端と下端には、シャフトＯリング９３がそれぞれ備えられる。前記シャフトＯリング９３は、前記シャフト９０と前記上側ボディ６４の内側面の間を気密にして、前記ヘッド６０を介して流動する水の漏洩を防止する。
【０１２０】
そして、複数のシャフトＯリング９３の間の前記上部パート９１の周りには、シャフト入口９６１とシャフト出口９６２がそれぞれ形成される。前記シャフト入口９６１とシャ
フト出口９６２は相互対向する位置に形成され、前記入水部６１１および出水部６１２と対応する位置に形成される。従って、前記入水部６１１を通過した水は、前記シャフト入口９６１に流入し、前記シャフト出口９６２を通過した水は前記出水部６１２を介して排出される。
【０１２１】
一方、前記シャフト入口９６１とシャフト出口９６２は、制限的ではないが、四角形形状に形成され、前記シャフト入口９６１とシャフト出口９６２の周りには、シーリング部材９４が装着されるシーリング部材装着部９１１が形成される。前記シーリング部材装着部９１１および前記シーリング部材９４は、前記シャフト入口９６１およびシャフト出口９６２と対応する四角形形状に形成される。
【０１２２】
このとき、前記シーリング部材９４は、前記シーリング部材装着部９１１の内側に圧入装着される圧入部９４１と、前記圧入部９４１の周りに沿って突出するシーリング部９４２を含むことができる。前記シーリング部９４２は、前記シャフト９０の装着時に前記上側ボディ６４の内側面と接する。従って、前記シャフト９０の回転によって前記シャフト入口９６１とシャフト出口９６２が前記入水部６１１および出水部６１２と連結される時、前記出入する水が前記シャフト９０と前記ヘッド６０の間で漏洩することが防止される。特に前記シーリング部材９４の形状は、前記シャフト９０が回転する方向に長く形成され、前記シャフト９０の回転動作中に前記シーリング部材９４が脱落したり干渉することが最小化される。
【０１２３】
そして、前記入水部６１１と出水部６１２に形成された入水口６１１ａと出水口６１２ａには、それぞれシーリングリブ６１３が形成される。前記シーリングリブ６１３は、前記シーリング部材９４が分離または損傷することを防止するものとして、前記上側ボディ６４の内側面の入水口６１１ａおよび出水口１６２ａを横断するように形成される。前記シーリングリブ６１３は、横および縦に延長され、必要に応じて前記シーリングリブ６１３は、多数個が相互交差する方向に配置される。
【０１２４】
従って、前記シャフト９０の回転過程で、前記入水部６１１と出水部６１２に形成される入水口６１１ａと出水口６１２ａを通過する前記シーリング部材９４が前記入水口６１１ａと出水口６１２ａに係止され、前記シーリング部材９４が前記シーリング部材装着部９１１から分離することを防止できる。すなわち、前記シャフト９０の回転過程で前記シーリングリブ６１３が前記シーリング部材９４の外側面を押す状態を維持することで、前記シーリング部材９４が前記シーリング部材装着部９１１から分離することが防止される。
【０１２５】
前記上部パート９１の外側面のうち前記シャフト入口９６１とシャフト出口９６２の間には、それぞれバイパス入口９５１とバイパス出口９５２が形成される。前記バイパス入口９５１とバイパス出口９５２も、相互対向する位置に配置される。従って、前記シャフト９０の回転によって前記バイパス入口９５１とバイパス出口９５２がそれぞれ前記入水部６１１および出水部６１２と整列する場合、前記入水部６１１に供給される水は前記バイパス流路９５を通過して前記出水部６１２に直接排出される。
【０１２６】
前記バイパス入口９５１およびバイパス出口９５２は、それぞれ前記シャフト入口９６１およびシャフト出口９６２と同一高さでそれぞれ９０度の角度だけ回転した位置に形成される。従って、前記フィルタリング流路９６またはバイパス流路９５と前記入水部６１１および出水部６１２を連結するためには、前記シャフト９０を９０度だけ回転させなければならない。
【０１２７】
そして、前記上部パート９１の内側で前記フィルタリング流路９６の上端を形成する部
分が前記バイパス流路９５上に突出する。従って、前記シャフト９０の高さを最小化した状態で、前記フィルタリング流路９６とバイパス流路９５の同時具現が可能となり、これを介して前記ヘッド６０並びに前記浄水装置１７をよりコンパクトに構成することができる。
【０１２８】
前記上部パート９１の下面には回転突起９２１が備えられる。前記回転突起は一対が形成され、前記シャフト入口９６１およびシャフト出口９６２と対応する位置に１つがそれぞれ形成される。すなわち、一対の前記回転突起９２１は相互９０度だけ回転した位置に形成される。
【０１２９】
一方、前記上部パート９１の中央には、下方に下部パート９２が延長される。前記下部パート９２は、前記安着部６５の内径より小さく形成され、前記安着部６５を貫通して下方に延長される。前記下部パート６３は、前記フィルタ４０が前記ヘッド６０に結合された時、前記シャフト９０と上部サポート８０が相互結合できる長さで延長される。
【０１３０】
そして、前記下部パート９２の一側面には、出水ガイド部９６５ｂが形成される。前記出水ガイド部９６５ｂは、前記シャフト出口９６２の下方で上下方向に延長形成される。前記出水ガイド部９６５ｂは、一例として円筒状の前記下部パート９２の外側面の一部が平面形状にカットされて形成される。
【０１３１】
従って、前記シャフト９０が前記ヘッド６０に装着された状態で、前記シャフト９０の出水ガイド部９６５ｂは前記ヘッド６０の内側面と離隔して水の流動通路であるシャフト出水流路９６５を形成する。そして、前記出水ガイド部９６５ｂの下端は、前記フィルタ出口８６２の上方に位置されるので、前記フィルタ出口８６２から排出される水は、前記出水ガイド部９６５ｂに沿って上方に移動した後、前記シャフト出口９６２と出水部６１２を順に経て出水管３０２に流動する。
【０１３２】
図１５は前記ヘッドの内部構造を一側から見た切開分解斜視図であり、図１６は前記ヘッドの内部構造を他側から見た切開分解斜視図である。
【０１３３】
図１５は、前記バイパス流路９５が前記入水部６１１と出水部６１２と連結されるように転換された状態での縦断面を示す。図示されているように、前記上部パート９１には、前記上部パート９１の中央を貫通するバイパス流路９５が形成され、前記上部パート９１の周りの両側には、それぞれバイパス入口９５１とバイパス出口９５２が形成される。
【０１３４】
前記バイパス入口９５１とバイパス出口９５２は、それぞれ入水口６１１ａと出水口６１２ａの大きさより大きく形成され、上下に配置される一対の前記シャフトＯリング９３の間に位置される。従って、前記バイパス流路９５が前記入水部６１１および出水部６１２と整列した状態で、前記バイパス流路９５を通過する水は外部に漏洩することなく、前記ヘッド６０を横断して通過することになる。
【０１３５】
すなわち、前記ヘッド６０に流入する水は、前記フィルタ４０を経ることなくヘッド６０を通過し、前記フィルタ４０が分離された状態でも前記フィルタ４０が装着される側に漏水が発生することなく、連続的に前記給水流路３０上の水の供給が可能となる。
【０１３６】
一方、前記バイパス流路９５の内側面には、後述されるフィルタリング流路９６を成形するために突出した流路突出部９６３が形成される。前記流路突出部９６３は、前記シャフト９０の内部中央に形成され、前記バイパス流路９５の底から突出すると共に、前記バイパス流路９５を遮蔽しないように形成される。
【０１３７】
そして、前記流路突出部９６３の両端は、傾斜またはラウンド状に形成され、前記バイパス流路９５を通る水の流動時に前記流路突出部９６３による流速の低下を最小化することができる。
【０１３８】
図１６は、前記フィルタリング流路が前記入水部と出水部と連結されるように転換された状態での縦断面を示す。
【０１３９】
図示されているように、前記シャフト９０の回転によって前記フィルタリング流路９６が前記入水部６１１および出水部６１２と連結される。
【０１４０】
このとき、前記シャフト入口９６１とシャフト出口９６２は、それぞれ前記入水口６１１ａおよび出水口６１２ａと接し、前記シーリング部材９４によって前記シャフト入口９６１およびシャフト出口９６２の外側と前記入水口６１１ａおよび出水口６１２ａの外側を完全に気密にすることができる。そして、前記下部パート９２の内側には、インナーパイプ９７が形成され、前記インナーパイプ９７は、前記サポーター延長部８５と連結される。
【０１４１】
従って、前記シャフト９０を介して入水する水は、前記上部サポーター８０を介して前記フィルタ４０の内部に供給されてフィルタリング部材４４によって浄水された後、前記上部サポーター８０を介して前記シャフト９０に吐出される。すなわち、前記ヘッド６０に流入する水は、前記フィルタ４０を経て浄水された後、前記ヘッド６０を介して排出される。
【０１４２】
一方、前記フィルタリング流路９６は、シャフト入水流路９６４とシャフト出水流路９６５を含むことができる。
【０１４３】
前記シャフト入水流路９６４は、前記シャフト入口９６１から前記シャフト９０の中央に延長される水平部９６４ａと、前記垂直部９６４ａの端部から下方に延長される垂直部９６４ｂを含むことができる。前記垂直部９６４ｂは、前記インナーパイプ９７によって形成される。
【０１４４】
前記インナーパイプ９７の外側面は、前記下部パート９２の内側面と離隔するように配置されて離隔空間９７１を形成する。前記離隔空間９７１の距離は、前記サポーター延長部８５の厚さと対応するように形成される。従って、前記フィルタ４０の装着時に前記サポーター延長部８５の上端は、前記離隔空間９７１の内側に挿入される。
【０１４５】
前記インナーパイプ９７の上下の長さは、前記下部パート９２の外側面の上下の長さより短く形成される。そして、前記下部パート９２の内側面で前記インナーパイプ９７と前記サポーター延長部８５が連結される。このために前記インナーパイプ９７の下端には第２連結部９７２が形成される。
【０１４６】
前記第２連結部９７２は、前記第１連結部８５１と対応する形状に形成される。そして、前記第２連結部９７２は、前記第１連結部８５１に挿入されて前記シャフト９０と前記上部サポーター８０が一緒に回転する。
【０１４７】
前記インナーパイプ９７と前記サポーター延長部８５の結合によって、前記シャフト入水流路９６４は前記フィルタ入力流路８７１と連通し、浄水するための水を前記フィルタリング部材４４に供給することができる。
【０１４８】
前記シャフト出水流路９６５は、前記下部パート９２の外側面に形成される出水ガイド
部９６５ｂと前記上部パート９１に形成される出水連結部９６５ａを含むことができる。
【０１４９】
前記出水ガイド部９６５ｂの上端は、前記上部パート９１の下面を貫通して前記出水連結部９６５ａと連通する。そして、前記出水連結部９６５ａは、前記上部パート９１の内側で前記出水ガイド部９６５ｂと前記シャフト出口９６２を連結する。
【０１５０】
従って、前記フィルタ出口８６２から排出される浄水は、前記出水ガイド部９６５ｂに沿って上方に移動することができ、前記出水連結部９６５ａを通って前記シャフト出口９６２に吐出される。前記シャフト出口９６２から吐出される浄水は、前記出水部６１２を介して排出される。
【０１５１】
従って、図１６のように、前記フィルタリング流路９６が前記入水部６１１および出水部６１２と連結された状態では、前記入水管３０１を介して前記ヘッド６０に流入した水が前記フィルタ４０の内部に供給されて浄水され、再び前記フィルタ４０から前記ヘッド６０に流動して前記出水管３０２から排出される。
【０１５２】
一方、前記上側ボディ６４の内周面には、前記ボディ安着部６５が形成される。前記シャフト９０の装着時に前記上部パート９１の下面は、前記ボディ安着部６５に安着する。
【０１５３】
図１７は前記ヘッドを下方から見た斜視図であり、図１８は前記ヘッドの一部切り欠き斜視図である。
【０１５４】
図１５〜図１８に示すように、前記ボディ安着部６５には回転ガイド６５１が切開されて形成される。このとき、前記回転突起９２１は、前記回転ガイド６５１の内側に位置することになる。そして、前記回転ガイド６５１は、制限的ではないが、前記ヘッドボディ６１の中央を基準に１８０度の角度だけ切開される。
【０１５５】
そして、前記回転突起９２１は、前記一対が９０度の角度で配置されているので、前記シャフト９０は９０度の角度だけ回転すると、前記回転突起９２１が前記回転ガイド６５１の両端に形成されたストッパー６５２によって停止することになる。
【０１５６】
前記ストッパー６５２によって停止した位置で前記入水部６１１および出水部６１２は、前記フィルタリング流路９６またはバイパス流路９５と選択的に連結される。従って、使用者は正確な角度を測定して前記フィルタ４０を回転させなくても、一方向にそれ以上回転しない地点まで前記フィルタ４０を回転させると、流路の選択および正確な連結が可能となる。
【０１５７】
そして、前記ボディ安着部６５の一側には流路切開部６５３が形成される。前記流路切開部６５３は、前記回転ガイド６５１と対向する位置の前記安着部６５に形成され、前記出水口６１２ａの垂直下方に形成される。
【０１５８】
従って、前記フィルタリング流路９６が前記入水部６１１および出水部６１２と連結されるように前記シャフト９０が回転した状態で、前記流路切開部６５３は、前記出水ガイド部９６５ｂの位置と同じ位置に位置される。そして、前記流路切開部６５３は、前記出水ガイド部９６５ｂと同じ幅を有するように形成される。従って、前記出水ガイド部９６５ｂと流路切開部６５３は相互接して、浄水された水が上方に流動できる通路を形成する。
【０１５９】
一方、前記下側ボディ６３の内側面には、一対の前記結合溝６３１と多数の前記支持リブ６３４が形成される。前記フィルタ４０が前記ヘッド６０に装着された後回転して前記
フィルタリング流路９６が前記入水部６１１および出水部６１２に連結される時、前記結合突起４３３は前記結合溝６３１に挿入される。
【０１６０】
前記結合溝６３１は、前記開口部６３２によって外部に露出され、前記開口部６３２を介して前記係止突起４３３ｂと前記係止溝６３１ａの結合状態を確認することができる。前記係止溝６３１ａの位置は、前記結合突起４３３が完全に回転した状態で前記係止突起４３３ｂと係止溝６３１ａが相互係止される位置に形成される。従って、前記フィルタ４０が前記ヘッド６０の内側に挿入されて完全に回転した状態では、前記結合突起４３３が前記結合溝６３１の内側で係止され、前記フィルタ４０が任意に分離されることを防止することができる。
【０１６１】
一方、前記結合溝６３１は、前記下側ボディ６３の内側面から突出する第１ガイド突出部６３５によって形成され、前記第１ガイド突出部６３５の上面に前記係止溝６３１ａが形成される。前記第１ガイド突出部６３５は、前記下側ボディ６３の開口された端部から前記結合溝６３１まで形成され、前記結合突起４３３が安着できる面を提供する。
【０１６２】
従って、前記フィルタ４０を前記ヘッド６０に挿入する時、前記第１ガイド突出部６３５の干渉によって前記結合突起４３３は前記ヘッド６０下面の開口のうちの一部区間では挿入が不可能となる。そして、前記結合突起４３３は、前記第１ガイド突出部６３５で干渉されない区間を介して挿入され、前記フィルタ４０が誤装着されることが防止される。
【０１６３】
そして、前記第１ガイド突出部６３５の一側面には、隣接する前記結合溝６３１の入口に前記結合突起４３３を案内するための第１溝ガイド部６３３ａが形成される。前記第１溝ガイド部６３３ａは、所定の傾斜を有するように形成され、前記結合突起４３３の挿入時に前記結合突起４３３の突起ガイド部４３３ａと接して前記結合突起４３３の一方向の回転移動を案内する。
【０１６４】
前記第１溝ガイド部６３３ａの端部から前記下側ボディ６３の内側面に沿って一定間隔離隔した一側には第２ガイド突出部６３６が形成される。そして、前記第２ガイド突出部６３６には、第２溝ガイド部６３３ｂが傾斜するように形成され、前記第１溝ガイド部６３３ａを通って回転する前記結合突起４３３が前記第２溝ガイド部６３３ｂに沿って移動して前記結合溝６３１の入口に移動するように案内することができる。前記第２溝ガイド部６３３ｂは、前記第１溝ガイド部６３３ａと離隔した一側から前記結合溝６３１の入口まで延長される。
【０１６５】
従って、前記フィルタ４０の装着時に前記挿入表示部６１３と対応する位置に前記結合突起４３３を位置させた後、前記下側ボディ６３の開口された下面に挿入すると、前記突起ガイド部４３３ａが前記第１溝ガイド部６３３ａに沿ってスライディングしながら移動し、それから前記第２溝ガイド部６３３ｂに沿ってスライディング移動して前記結合溝６３１の内側に挿入される。
【０１６６】
このように、前記フィルタ４０が前記ヘッド６０の内側に挿入される過程で、使用者が前記フィルタ４０の結合突起４３３を整列して挿入する場合、前記第１溝ガイド部６３３ａと第２溝ガイド部６３３ｂによって前記フィルタ４０は自然に回転して結合可能となる。
【０１６７】
前記フィルタ４０が完全に挿入されて前記結合突起４３３が前記結合溝６３１の入口に位置された状態では、前記シャフト９０と前記上部サポーター８０が一体に結合される。そして、前記結合突起４３３が前記結合溝６３１の内側に完全に挿入されるように前記フィルタ４０をさらに回転させると、前記シャフト９０が一緒に回転して前記フィルタリン
グ流路９６が前記入水部６１１と出水部６１２に連結されるように回転される。
【０１６８】
このために、前記シャフト９０の下端、すなわち前記インナーパイプ９７の下端には第２連結部９７２が形成される。前記第２連結部９７２は、制限的ではないが、相互対向する位置で同じ形状に一対が形成され、前記インナーパイプ９７の下端両側が切開されて形成される。
【０１６９】
具体的に、前記インナーパイプ９７の下端は下方に突出する一対の第２連結部９７２と前記第２連結部９７２の間に形成される一対のパイプ切開部９７３を含むことができる。前記一対の第２連結部９７２は、下方に行くほどその幅が狭くなるように形成される。
【０１７０】
前記一対の第２連結部９７２の両側端には第２傾斜面９７４が形成され、前記第２傾斜面９７４は前記第１傾斜面８５３と対応する傾斜を有するように形成される。
【０１７１】
そして、前記フィルタ４０が前記ヘッド６０に回転挿入される過程で、前記第２傾斜面９７４は前記第１傾斜面８５３に沿って挿入される。前記フィルタ４０が前記ヘッド６０に完全に挿入装着されると、前記第２連結部９７２は前記第１連結部８５１と嵌合し、前記突出部８５２は前記パイプ切開部９７３と嵌合される。従って、前記第１傾斜面８５３と第２傾斜面９７４は、完全に密着した状態になることができる。
【０１７２】
また、前記第２傾斜面９７４は、前記第１傾斜面８５３のように前記フィルタ４０の回転方向にも傾斜するように形成される。従って、前記ストッパー６５２によって前記シャフト９０の回転が制限された状態で前記フィルタ４０がさらに回転操作されると、回転方向の力が前記第２傾斜面９７４と第１傾斜面８５３に作用し、前記第１傾斜面８５３は第２傾斜面９７４に沿って移動することになり、前記フィルタ４０が容易に分離される。
【０１７３】
一方、前記下側ボディ６３の内側面には、前記支持リブ６３４が多数個形成され、前記支持リブ６３４によってフィルタ挿入部４３１の外側面が支持される。
【０１７４】
以下、上記のような構造を有する本発明の実施例に係る浄水装置の動作に関して説明する。
【０１７５】
図１９は前記フィルタとヘッドが分離された状態の一部切り欠き斜視図であり、図２０は図１９のＡ部拡大図であり、図２１は前記フィルタとヘッドが分離された状態のシャフトの位置を示した図である。
【０１７６】
図示されているように、前記フィルタ４０が前記ヘッド６０に結合されていない状態では、前記バイパス流路９５が前記入水部６１１および出水部６１２と連結される。
【０１７７】
従って、前記入水部６１１を介して流入する水は、入水口６１１ａを介して前記バイパス入口９５１に流入し、前記バイパス流路９５に沿って流動する。そして前記バイパス出口９５２と前記出水口６１２ａを通って前記出水部６１２から排出される。すなわち、前記入水部６１１に流入する水が浄水過程を経ることなく前記ヘッド６０を通過して直接給水流路３０を介してアイスメーカー２４またはディスペンサー２３に供給される。
【０１７８】
このような状態は、前記フィルタ４０を交替するために前記フィルタ４０を分離した状態や管路の洗浄やその他メンテナンスと関連したサービスをするためのケースに該当する。また、複数のフィルタ４０の少なくとも一部のフィルタを使用しなかったり、浄水が必要ない場合にもこのような状態となることができ、前記フィルタ４０が分離された状態でも前記冷蔵庫１の利用には何の問題が発生しない。
【０１７９】
一方、前記フィルタ４０が装着されていない状態で、前記シャフト９０の配置を図２１を参照すると、一対の前記回転突起９２１の第１回転突起９２１ａが前記回転ガイド６５１の一側のストッパー６５２と接する状態となる。そして、このような状態で前記出水ガイド部９６５ｂと流路切開部６５３は、略９０度の角度でずれた状態を維持することになる。
【０１８０】
図２２は前記フィルタが前記ヘッドの内側に挿入される状態を示した図であり、図２３は前記フィルタが前記ヘッドの内側に完全に挿入された状態を示した図である。
【０１８１】
図示されているように、前記フィルタ４０を装着するために、前記フィルタ挿入部４３１を前記ヘッド６０の下面の開口に挿入することになる。このとき、前記ヘッド６０の外側に形成された挿入表示部６１３を参照して、前記結合突起４３３の位置を整列して挿入することができる。
【０１８２】
前記フィルタ４０の挿入過程で、前記結合突起４３３は前記第１溝ガイド６３３ａと第２溝ガイド６３３ｂに沿ってスライディング移動し、よって前記フィルタ４０は自然に挿入されると共に回転することになる。
【０１８３】
前記フィルタ４０が所定の深くだけに挿入されると、図２１に示されているように、前記第２連結部９７２は前記第１連結部８５１の内側に挿入される。このとき、前記第２連結部９７２と第１連結部８５１は、それぞれ前記第２傾斜面９７４と第１傾斜面８５３が相互接触しながらスライディングし、よって前記第２連結部９７２が前記第１連結部８５１の内側に案内される。
【０１８４】
すなわち、前記フィルタ４０の挿入装着時に前記第１溝ガイド６３３ａと第２溝ガイド６３３ｂによって、前記フィルタ４０は前記ヘッド６０に挿入させる過程で自然に回転し、回転過程で前記第２傾斜面９７４と第１傾斜面８５３のスライディングによって、図２３に示されているように前記シャフト９０と前記サポーター延長部８５は完全に嵌合される。
【０１８５】
図２３のように、前記シャフト９０と前記サポーター延長部８５が相互完全に嵌合された状態である時、前記結合突起４３３は前記結合溝６３１の内側または入口側に位置することになる。すなわち、前記フィルタ４０は、単純挿入された状態で前記ヘッド６０と完全に結合される以前の状態に該当する。このような状態では、前記シャフト９０が回転することなく、前記バイパス流路９５が前記入水部６１１および出水部６１２と連結された状態となる。
【０１８６】
図２３のような状態で、使用者は前記フィルタ４０を回転進行方向にさらに回転させることができ、略９０度ほど回転させて前記結合突起４３３が前記結合溝６３１の内側に完全に挿入されるようにすることができる。
【０１８７】
図２４は前記フィルタが前記ヘッドの内側に完全に挿入された状態で、結合のために回転された状態を示した図であり、図２５は図２４のＢ部拡大図であり、図２６は前記フィルタが前記ヘッドに結合された状態のシャフトの位置を示した図である。
【０１８８】
図２３のような状態で、前記フィルタ４０を９０度の角度でさらに回転させて、前記結合突起４３３と結合溝６３１が完全に結合されるように回転させると、前記シャフト９０も一緒に回転して図２６のような状態となる。
【０１８９】
具体的に、前記第２連結部９７２が前記第１連結部８５１に挿入されて完全に結合された状態では、前記フィルタ４０を回転させると、前記シャフト９０が前記フィルタ４０と一緒に回転される。
【０１９０】
前記シャフト９０は、前記第２回転突起９２１ｂが前記ストッパー６５２の位置に到達する時まで、略９０度の角度だけさらに回転される。前記シャフト９０が完全に回転すると、前記フィルタリング流路９６が前記入水部６１１および出水部６１２と相互連結される状態となる。もちろん、前記インナーパイプ９７と前記サポーター延長部８５は、相互連結された状態を維持して前記ヘッド６０とフィルタ４０の間に原水と浄水の出入りが可能となる。また、前記結合突起４３３は、前記結合溝６３１の内側に完全に挿入されて結合された状態で、前記フィルタ４０は使用者が結合方向と反対方向に回転操作して、前記フィルタ４０を前記ヘッド６０から分離する前までは、結合状態を維持することになる。
【０１９１】
図２４のような状態では、前記入水部６１１を介して流入する水は、前記入水口６１１ａとシャフト入口９６１を介してシャフト入水流路９６４に沿って流動する。すなわち、前記水平部９６４ａと垂直部９６４ｂに沿って流動する水は、前記インナーパイプ９７を通って前記サポーター延長部８５の内側に流入して、前記第１フィルタ入力流路８７２に沿って下方に流動する。次に、水が前記第２フィルタ入力流路８７３によって分岐され、前記ハウジング４１の内側面と前記フィルタリング部材４４の間の空間に流入する。
【０１９２】
そして、前記フィルタリング部材４４の外側から前記フィルタリング部材４４の内側の中空４４１に流入する水は、前記フィルタリング部材４４を通過する過程で浄化される。そして、前記フィルタリング部材４４の内側の浄化された水は、前記第１延長部８６の内側に沿って上方に流動し、前記第１延長部８６の上端の両側に配置されたフィルタ出口８６２から上方に排出される。
【０１９３】
このとき、前記フィルタ挿入部４３１の内側には、前記第１延長部８６の外側面と前記フィルタ挿入部４３１の内側に挿入された下部パート９２によって、浄水された水が前記ヘッド６０の側に流動する空間が形成される。一方、図２４のように、前記フィルタリング流路９６が前記入水部６１１および出水部６１２と連結された状態では、前記出水ガイド部９６５ｂと前記流路切開部６５３は相互同じ位置に位置され、浄水された水が前記上部パート９１の側に流動することができる。
【０１９４】
従って、浄水された水は、前記下部パート９２に形成された前記出水ガイド部９６５ｂに沿って上方に流動し、前記上部パート９１の内側に流入して前記シャフト出口９６２と前記出水部６１２を順に通過した後、前記出水部６１２から排出される。そして、前記出水部６１２の出水管３０２は、前記給水流路３０の一部分を形成し、前記ディスペンサー２３とアイスメーカー２４に浄水を供給することができる。
【０１９５】
そして、前記図２３のような状態で、前記フィルタ４０の交換周期の到来またはその他メンテナンスのために、前記フィルタ４０を除去しなければならない場合には、まず前記フィルタ４０を結合方向と反対方向に回転させることになる。
【０１９６】
前記フィルタ４０の回転によって、前記結合突起４３３は前記結合溝６３１を離れる方向に移動し、前記サポーター延長部８５は前記シャフト９０を回転させることになる。前記シャフト９０が９０度だけ回転して前記フィルタリング流路９６が閉じられ、前記バイパス流路９５が連結されると、図２０のように、前記回転突起９２１は前記ストト６５２と接して前記シャフト９０の回転を制限することになる。
【０１９７】
このような状態で、前記フィルタ４０をさらに回転させるために力を加えると、前記シ
ャフト９０は前記ストッパー６５２によって回転できなくなり、よって前記第１傾斜面８５３と第２傾斜面９７４にねじりモーメントが加えら、前記第２傾斜面９７４が前記第１傾斜面８５３に沿って自然に分離されながらスライディングする。さらに、前記結合溝６３１を抜け出した結合突起４３３は、前記第２溝ガイド部６３３ｂと第１溝ガイド部６３３ａを順に通って前記フィルタ４０が前記ヘッド６０から分離される。
【０１９８】
一方、本発明の実施例では、説明の便宜上、前記浄水装置１７が前記冷蔵庫１に装着される例で説明しているが、前記浄水装置１７は、一般的に使用される浄水器をはじめ、フィルタ交換方式で水を浄化できるすべての装置に適用可能である。
【０１９９】
提案される実施例による浄水装置および浄水装置が備えられた冷蔵庫では、次のような効果を期待することができる。
【０２００】
本発明の実施例では、前記フィルタの交替またはメンテナンスのために前記フィルタを前記ヘッドから分離する場合、前記バイパス流路が前記入水部と出水部を連結して漏水が発生することなく、流路を連結できることになる。そして、バイパス流路によって給水流路は連結された状態が維持され、ディスペンサーまたはアイスメーカーへの連続的な給水が可能となり、流路の洗浄などサービス作業が可能になって使用の便宜性が向上するメリットがある。
【０２０１】
また、本発明の実施例では、前記フィルタを装着するための回転操作時、フィルタリング流路が前記入水部と出水部に連結されて浄水の供給が可能となり、フィルタを分離するための回転操作時、バイパス流路が入水部と出水部に連結されて、フィルタの除去時にも連続的な水の供給が可能となる。すなわち、前記フィルタの装着および分離を回転操作によって、別途の追加操作なしに流路の転換が可能となり、使用上の便宜性がより向上する効果を期待することができる。
【０２０２】
また、本発明の実施例では、フィルタの正確な装着が可能となるように、フィルタが挿入されるヘッドに正確な位置が表示される。また、ヘッドの内側に結合突起と接する溝ガイドが傾斜するように形成され、前記フィルタを定位置から挿入する操作だけで、前記フィルタが自然に回転して前記結合溝に挿入される。また、前記結合突起と結合溝の結合によって前記ヘッドとフィルタの流路が同時に接続されるので、使用の便宜性がより向上する効果を期待することができる。
【０２０３】
また、本発明の実施例では、シャフトと上部サポーターの端部に形成された第１連結部と第２連結部が相互嵌合される構造を有し、軸方向に傾斜を有することになって、前記フィルタを挿入すると、傾斜面同士が接して正確な位置に挿入されるように誘導される。また、前記フィルタを分離すために前記フィルタを回転操作すると、前記シャフトの回転が制限される区間で前記第１連結部と第２連結部の傾斜面が容易に分離されることになり、使用の便宜性がより向上する効果を期待することができる。
【０２０４】
また、本発明の実施例では、流路を転換するための別途のバルブ構造と弾性部材が備えられず、シャフトの回転だけで流路の転換が可能となるので、製品の構成を簡潔にして、生産性と製造費用を節減できる効果を期待することができる。
【０２０５】
また、簡潔な動作構造によって誤作動を防止することができるし信頼性ある動作を保障して、製品の耐久性が向上する効果を期待することができる。
【０２０６】
また、本発明の実施例は、バイパス流路の内側にフィルタリング流路の一部が突出するようにすることで、シャフトの構造をコンパクトにすることができる。これによって、シ
ャフトが装着されるヘッドの大きさ並びに全体浄水装置の構造をコンパクトにして、浄水装置を冷蔵庫に装着する時の冷蔵庫の容量損失を最小化できるメリットがある。
【０２０７】
以上の説明は、本発明の技術思想を例示的に説明したことに過ぎず、本発明が属する技術分野で通常の知識を有した者であれば、本発明の本質的な特性を逸脱しない範囲で、多様な修正および変形が可能であろう。よって、本発明に開示された実施例は、本発明の技術思想を限定するためのものでなく説明のためのものとして、このような実施例によって本発明の技術思想の範囲が限定されるものではない。
【図１】
2018114503.tif 000003
【図２】
2018114503.tif 000004
【図３】
2018114503.tif 000005
【図４】
2018114503.tif 000006
【図５】
2018114503.tif 000007
【図６】
2018114503.tif 000008
【図７】
2018114503.tif 000009
【図８】
2018114503.tif 000010
【図９】
2018114503.tif 000011
【図１０】
2018114503.tif 000012
【図１１】
2018114503.tif 000013
【図１２】
2018114503.tif 000014
【図１３】
2018114503.tif 000015
【図１４】
2018114503.tif 000016
【図１５】
2018114503.tif 000017
【図１６】
2018114503.tif 000018
【図１７】
2018114503.tif 000019
【図１８】
2018114503.tif 000020
【図１９】
2018114503.tif 000021
【図２０】
2018114503.tif 000022
【図２１】
2018114503.tif 000023
【図２２】
2018114503.tif 000024
【図２３】
2018114503.tif 000025
【図２４】
2018114503.tif 000026
【図２５】
2018114503.tif 000027
【図２６】
2018114503.tif 000028